(57)【要約】【課題】対物レンズの位置を簡易に調整し、記録および再生時の対物レンズを最適な位置に位置決めする。【解決手段】  ヘッダ部を有するＤＶＤ−ＲＡＭに記録されているデータを再生し、アクチュエータによって対物レンズをシフトさせることによって、複数の位置における前記ヘッダ部の読み取り率を取得し（ステップＳ１１〜Ｓ１９）、対物レンズの位置と前記読み取り率との関係から、前記読み取り率が最も高くなる位置を算出して記憶しておく（ステップＳ２０〜Ｓ２１）。光ディスク装置の使用時には、記憶した読み取り率が最も高い位置情報に基づいて対物レンズを位置決めして動作させる。【選択図】    図５
2008152879.tif 000002
【特許請求の範囲】
【請求項１】
ヘッダ部とデータが記録されるデータ領域とからなる複数の記録領域を有する光ディスクを再生する光ディスク装置であって、
対物レンズと、前記光ディスクに対してレーザ光を前記対物レンズを介して照射するレーザ光照射部と、前記光ディスクからの反射光を前記対物レンズを介して受光するフォトディテクタとを有するピックアップヘッドと、
前記対物レンズを前記光ディスク上に対して垂直方向および半径方向に駆動するためのアクチュエータと、
前記フォトディテクタの出力信号に基づいて前記光データに記録されたデータを再生する再生回路と、
前記アクチュエータを制御して前記対物レンズを複数の異なる位置に移動させながら、その位置毎に前記再生回路からの再生データに基づいて前記ヘッダ部の前記読み取り率を算出し、前記対物レンズの前記複数の異なる位置とそれに対応する前記読み取り率との関係から前記読み取り率が最も高くなる位置を算出して、その位置を利用可能にメモリに記憶するコントローラと
を具備することを特徴とする光ディスク装置。
【請求項２】
前記光ディスクのヘッダ部には、複数のアドレス領域毎に誤り検出コードが設定されており、
前記コントローラは、前記アドレス領域と前記誤り検出コードの読み取り結果を比較することによって前記読み取り率を算出することを特徴とする請求項１記載の光ディスク装置。
【請求項３】
前記コントローラはパワーオン時に、前記メモリに格納された位置情報から前記対物レンズを位置決めすることを特徴とする請求項１記載の光ディスク装置。
【請求項４】
前記コントローラは、前記対物レンズの前記複数の異なる位置とそれに対応する前記読み取り率との関係に近似する二次関数曲線を算出し、その算出された二次関数曲線の極大値を前記読み取り率が最も高い位置として求めることを特徴とする請求項１記載の光ディスク装置。
【請求項５】
ヘッダ部とデータが記録されるデータ領域とからなる複数の記録領域を有する光ディスクを再生する光ディスク装置の制御方法であって、
対物レンズを光ディスク上のトラックに対して垂直方向および半径方向に駆動するためのアクチュエータを制御して、前記対物レンズを複数の異なる位置に移動させ、
その移動させたその位置毎に前記光ディスクからの反射光の検出信号から得られる再生データに基づいて前記ヘッダ部の前記読み取り率を算出し、
前記対物レンズの前記複数の異なる位置とそれに対応する前記読み取り率との関係から前記読み取り率が最も高くなる位置を算出し、
その位置を利用可能にメモリに記憶する
ことを特徴とする光ディスク装置の制御方法。
【請求項６】
前記対物レンズの前記複数の異なる位置とそれに対応する前記読み取り率との関係に近似する二次関数曲線を算出し、その算出された二次関数曲線の極大値を前記読み取り率が最も高い位置として求めることを特徴とする請求項５記載の光ディスク装置の制御方法。
【発明の詳細な説明】
【技術分野】
【０００１】
本発明は、対物レンズを有する光ディスク装置、および光ディスク装置の制御方法に関する。
【背景技術】
【０００２】
光ディスクには、画像・音楽・映像等のコンテンツを記録したり、コンピュータで使用されるデータを記録したりするために用いられている。光ディスク装置は、ピックアップヘッドから光ディスクに対してレーザ光を照射し、光ディスクからの反射光を受光することによって、光ディスクに記録されているデータを読み出す。
【０００３】
光ディスクからの反射光は、フォトディテクタによって受光するが、フォトディテクタに入射する光のバランスが中心からずれていると、再生能力が低下し、エラーが発する。
【０００４】
従来の技術として、タンジェンシャル位相差を意図的にずらし、位相差のオフセットで対物レンズのシフト量を検出し補正した後、トラッキングエラーのバランス調整を行う技術がある（例えば、特許文献１参照。）。
【特許文献１】特開２０００−３１５３２７号公報
【発明の開示】
【発明が解決しようとする課題】
【０００５】
特許文献１に記載された発明では、最適な位置を求めるために、タンジェンシャル位相差を意図的にずらす機構が必要なるなど、装置の構成が複雑になる。そこで、簡易に対物レンズの位置を調整できる方法が望まれている。
【０００６】
本発明の目的は、対物レンズの位置を簡易に調整し、再生能力の最適化を図り得る光ディスク装置、および光ディスク装置の制御方法を提供することにある。
【課題を解決するための手段】
【０００７】
上記目的を達成するために本発明の光ディスク装置は、ヘッダ部とデータが記録されるデータ領域とからなる複数の記録領域を有する光ディスクを再生する光ディスク装置であって、対物レンズと、前記光ディスクに対してレーザ光を前記対物レンズを介して照射するレーザ光照射部と、前記光ディスクからの反射光を前記対物レンズを介して受光するフォトディテクタとを有するピックアップヘッドと、前記対物レンズを前記光ディスク上のトラックに対して垂直方向および半径方向に駆動するためのアクチュエータと、前記フォトディテクタの出力信号に基づいて前記光データに記録されたデータを再生する再生回路と、前記アクチュエータを制御して前記対物レンズを複数の異なる位置に移動させながら、その位置毎に前記再生回路からの再生データに基づいて前記ヘッダ部の前記読み取り率を算出し、前記対物レンズの前記複数の異なる位置とそれに対応する前記読み取り率との関係から前記読み取り率が最も高くなる位置を算出して、その位置を利用可能にメモリに記憶するコントローラとを具備することを特徴とする。
【０００８】
また光ディスク装置の制御方法は、ヘッダ部とデータが記録されるデータ領域とからなる複数の記録領域を有する光ディスクを再生する光ディスク装置の制御方法であって、対物レンズを光ディスク上のトラックに対して垂直方向および半径方向に駆動するためのアクチュエータを制御して、前記対物レンズを複数の異なる位置に移動させ、その移動させたその位置毎に前記光ディスクからの反射光の検出信号から得られる再生データに基づいて前記ヘッダ部の前記読み取り率を算出し、前記対物レンズの前記複数の異なる位置とそれに対応する前記読み取り率との関係から前記読み取り率が最も高くなる位置を算出し、その位置を利用可能にメモリに記憶することを特徴とする。
【発明の効果】
【０００９】
本発明の光ディスク装置によれば、対物レンズの位置を簡易に調整し、記録および再生時の対物レンズを最適な位置に位置決めすることができる。
【発明を実施するための最良の形態】
【００１０】
本発明の実施の形態を以下に図面を参照して説明する。
【００１１】
図１は、実施形態に係る光ディスク装置の構成を示すブロック図である。
【００１２】
光ディスク６１はスピンドルモータ６３によって回転駆動される。光ディスク６１に対する情報の記録、再生は、光ピックアップヘッド６５（図中の破線で囲んだ部分）によって行われる。光ピックアップヘッド６５は、スレッドモータ６６とギアを介して連結されており、このスレッドモータ６６はスレッドモータ制御回路６８により制御される。
【００１３】
図中のスレッドモータ６６の下部に位置する速度検出回路６９は、光ピックアップヘッド６５の移動速度を検出するものであり、スレッドモータ制御回路６８に接続されている。そして、速度検出回路６９により検出される光ピックアップヘッド６５の速度信号がスレッドモータ制御回路６８に送られる。また、スレッドモータ６６の固定部には、図示しない永久磁石が設けられており、駆動コイル６７がスレッドモータ制御回路６８によって励磁されることにより、光ピックアップヘッド６５が光ディスク６１の半径方向に駆動される。
【００１４】
光ピックアップヘッド６５には、図示しない例えばワイヤあるいは板バネによって支持された対物レンズ７０が設けられる。対物レンズ７０は、駆動コイル７１、７２の駆動によりトラッキング方向（レンズの光軸と直交する方向）およびフォーカシング方向（レンズの光軸方向）への移動が可能である。
【００１５】
変調回路７３は、光ディスク６１にデータを記録させる場合、ホスト装置９４からインターフェース回路９３およびバス８９を介して記録するデータを受信し、これを光ディスク６１の規格に定められた変調方式（例えば、８−１６変調）にて変調する。レーザ駆動回路７５は、変調回路７３から供給される変調データに基づいて書込み用信号を半導体レーザダイオード７９に供給する。またレーザ駆動回路７５は、情報再生時には書込み用信号より小さい読取り用信号を半導体レーザダイオード７９に供給する。
【００１６】
半導体レーザダイオード７９は、レーザ駆動回路７５から供給される信号に応じてレーザ光を光ディスク６１に向けて発生する。半導体レーザダイオード７９から発せられるレーザ光は、コリメータレンズ８０、ハーフプリズム８１、対物レンズ７０を介して光ディスク６１上に照射される。光ディスク６１からの反射光は、対物レンズ７０、ハーフプリズム８１、集光レンズ８２、シリンドリカルレンズ８３を介して光検出器８４（フォトディテクタ）に導かれる。なお、光学系を構成する各部品のうち対物レンズは、レーザ光を適正にディスク上に収束させ得るよう設計されている。
【００１７】
光検出器８４は、例えば４分割の光検出セル８４ａ〜８４ｄから構成されている。光検出器８４の各光検出セル８４ａ〜８４ｄの出力信号は、それぞれ電流／電圧変換用のアンプ８５ａ〜８５ｄを介して、光検出セル８４ａと光検出セル８４ｃの出力を加算する加算器８６ａ、光検出セル８４ｂと光検出セル８４ｄの出力を加算する加算器８６ｂ、光検出セル８４ａと光検出セル８４ｃの出力を加算する加算器８６ｃ、光検出セル８４ｂと光検出セル８４ｄの出力を加算する加算器８６ｄに供給される。その加算器８６ａ、８６ｂの出力は差動アンプＯＰ２に供給され、加算器８６ｃ、８６ｄの出力は差動アンプＯＰ１に供給される。
【００１８】
差動アンプＯＰ２は、加算器８６ａ、８６ｂの両出力信号の差に応じた、フォーカスエラー信号ＦＥを生成する。このフォーカスエラー信号ＦＥは、フォーカシング制御回路８７に供給される。フォーカシング制御回路８７の出力信号ＦＣは、フォーカシング駆動コイル７２に供給される。フォーカシング駆動コイル７２は、フォーカシング制御回路８７から供給された出力信号ＦＣに基づいて、レーザ光が光ディスク６１の記録面上に常時ジャストフォーカスとなるよう対物レンズ７０を駆動する。さらにフォーカシング制御回路８７は、フォーカスエラー信号ＦＥの振幅を測定する測定機能を有し、その測定値はバス８９を介してＣＰＵ９０に出力される。
【００１９】
差動アンプＯＰ１は、加算器８６ｃ、８６ｄの両出力信号の差に応じたトラッキングエラー信号ＴＥを生成する。このトラッキングエラー信号ＴＥはトラッキング制御回路８８に供給され、トラッキング制御回路８８では、このトラッキングエラー信号ＴＥに応じてトラッキング駆動信号を生成する。トラッキング制御回路８８から出力されるトラッキング駆動信号は、対物レンズ７０を光軸と直交する方向へ駆動するトラッキング駆動コイル７１に供給される。トラッキング駆動コイル７１はトラッキング駆動信号に基づいて、レーザ光が光ディスク６１の記録面上の所定箇所に照射されるよう対物レンズ７０を駆動する。また、トラッキング制御回路８８を介してトラッキングエラー信号ＴＥが、スレッドモータ制御回路６８にも供給される。
【００２０】
以上のようにフォーカシング制御およびトラッキング制御がなされることで、光検出器８４の光検出セル８４ａ〜８４ｄの出力信号の和信号、つまり加算器８６ｃ、８６ｄの両出力信号を加算する加算器８６ｅの出力和信号ＲＦによって、記録情報に忠実な信号を得ることができる。この出力和信号ＲＦは、データ再生回路７８に供給される。
【００２１】
次に、データ再生回路７８は、ＰＬＬ回路７６からの再生用クロック信号に基づき、読み出された記録データを再生する。
【００２２】
スレッドモータ制御回路６８は、スレッドモータ６６を制御し、対物レンズ７０が光ピックアップ６５内の中心位置近傍に位置するように光ピックアップ６５の本体を移動させる。
【００２３】
また、モータ制御回路６４、スレッドモータ制御回路６８、変調回路７３、レーザ駆動回路７５、ＰＬＬ回路７６、データ再生回路７８、フォーカシング制御回路８７、トラッキング制御回路８８等は、１つのＬＳＩチップ内で構成することができ、これら回路は、バス８９を介してＣＰＵ９０によって制御される。ＣＰＵ９０は、インターフェース回路９３を介してホスト装置９４から供給される動作コマンドに従って、この光ディスク記録再生装置を総合的に制御する。またＣＰＵ９０は、ＲＡＭ９１を作業エリアとして使用し、不揮発性メモリ（ＮＶＭ）９２に記録された本実施形態に係る処理を含むプログラムに従って、所定の制御を行う。
【００２４】
上記光ディスク６１は、例えばガラスあるいはプラスチックス等で円形に形成された基板の表面にテルルあるいはビスマス等の金属被膜層がドーナツ型にコーティングされて構成される。そして、同心円状あるいはスパイラル状のグルーブおよびランドの両方を用いてデータの記録あるいは記録されているデータの再生が行われ、マスタリング工程で記録マークにより所定間隔ごとにアドレスデータが記録されている相変化形で書換え形のディスクである。
【００２５】
上記光ディスク６１は、図２に示すように、半径方向に複数のトラックからなる複数のゾーン６１Ａ、６１Ｂ、６１Ｃ、…、６１Ｓに分割されている。各ゾーン６１Ａ、６１Ｂ、６１Ｃ、…、６１Ｓに対するクロック信号は同一である。各ゾーン６１Ａ、６１Ｂ、６１Ｃ、…、６１Ｓに対する光ディスク６１の回転数（速度）は、それぞれ異なったもの（内周から外周に向かうのにしたがって遅くなる）となっている。各ゾーン６１Ａ、６１Ｂ、６１Ｃ、…、６１Ｓごとに１トラックずつのセクタ数は異なったものとなっている。
【００２６】
上記光ディスク６１の各ゾーン６１Ａ、６１Ｂ、６１Ｃ、…、６１Ｓのトラックには、それぞれアドレス等が記録されているヘッダ部６１1 、…が各セクタごとにあらかじめプリフォーマッティングされている。
【００２７】
上記ヘッダ部６１1は、図３に示すように、複数のピット１０１により構成されており、グルーブ１０２に対して図のようにプリフォーマットされており、ピット１０１の中心はグルーブ１０２とランド１０３の接線の同一線上の位置に存在する。
【００２８】
図３に示すように、ピット列ＩＤ１がグルーブ１のヘッダ部、ピット列ＩＤ２がランド１のヘッダ部、ピット列ＩＤ３がグルーブ２のヘッダ部、ピット列ＩＤ４がランド２のヘッダ部、ピット列ＩＤ５がグルーブ３のヘッダ部、ピット列ＩＤ６がランド３のヘッダ部となっている。したがって、グルーブ用のヘッダ部とランド用のヘッダ部とが交互（千鳥状）に形成されている。
【００２９】
上記光ディスク６１の各ゾーン１ａ、…ごとの１セクタごとのフォーマットの一例を図４に示す。図４において、１セクタは、例えば２６９７バイト（bytes）で構成され、１２８バイトのヘッダ領域１００（ヘッダ部１1に対応）、５バイトのミラーマーク領域１１０、２５６４バイトの記録領域１２０から構成されている。また、記録領域１２０は、例えば１７〜１９バイトのキャップ領域１２１、５０バイトのＶＦ０３領域１２２、２４１８バイトのデータ領域１２３、３０バイトのカードデータ領域１２４、４７〜４９バイトのバッファ領域１２５から構成されている。
【００３０】
上記セクタに記録されるチャネルビットは、８ビットのデータを１６ビットのチャネルビットに８−１６コード変調された形式になっている。ヘッダ領域１００は、光ディスク６１を製造する際に所定のデータが記録されているエリアである。このヘッダ領域１００は、４つのアドレス領域ＰＩＤ１〜ＰＩＤ４により構成されている。
【００３１】
ここで、アドレス領域ＰＩＤ１，ＰＩＤ３は４６バイトで構成され、その内訳は３６バイトの同期コード部ＶＦＯ１（Variable Frequency Oscillator ）、３バイトのアドレスマークＡＭ（Address Mark）、４バイトのアドレス部ＰＩＤ（Position Identifier ）、２バイトの誤り検出コードＩＥＤ（ID Error Detection Code）、１バイトのポストアンブルＰＡ（Postambles）から構成されている。
【００３２】
一方、アドレス領域ＰＩＤ２，ＰＤＩ４は１８バイトで構成され、その内訳は８バイトの同期コード部ＶＦＯ２（Variable Frequency Oscillator ）、３バイトのアドレスマークＡＭ（Address Mark）、４バイトのアドレス部ＰＩＤ（Position Identifier ）、２バイトの誤り検出コードＩＥＤ（ID Error Detection Code）、１バイトのポストアンブルＰＡ（Postambles）から構成されている。
【００３３】
同期コード部ＶＦＯ１、ＶＦＯ２は、ＰＬＬの引き込みを行うための領域である。そして、同期コード部ＶＦＯ１はチャネルビットで“０１０…”の連続パターンを３６バイト分記録（一定間隔のパターンを記録）したものであり、同期コード部ＶＦＯ２はチャネルビットで“０１０…”の連続パターンを８バイト分記録したものである。
【００３４】
アドレスマークＡＭは、どこからセクタアドレスが始まるかを示す“３”バイトの同期コードである。このアドレスマークＡＭの各バイトのパターンは“0100100000000100”というデータ部分には現れない特殊なパターンが用いられる。
【００３５】
アドレス領域ＰＩＤ１〜ＰＩＤ４は、４バイトのアドレス情報としてのセクタアドレス（ＩＤ番号を含む）が記録されている領域である。ＩＤ番号は、例えばＰＩＤ１の場合は“１”で、１つのヘッダ部１1で４回重ね書きしている内の何番目かを表す番号である。
【００３６】
誤り検出コードＩＥＤは、セクタアドレス（ＩＤ番号含む）に対するエラー（誤り）検出符号で、読み込まれたＰＩＤ内のエラーの有無を検出することができる。
【００３７】
ポストアンブルＰＡは、復調に必要なステート情報を含んでおり、ヘッダ部１1がスペースで終了するよう極性調整の役割も持つ。
【００３８】
次に、５バイトのミラーマーク領域１１０は、トラッキングエラー信号のオフセット補正、ランド／グルーブ切り替え信号のタイミング発生等に利用される。
【００３９】
次に、記録領域１２０のギャップ領域１２１は、何も書かない領域である。
【００４０】
また、ＶＦＯ３領域１２２もＰＬＬロック用の領域ではあるが、同一パターンの中に同期コードを挿入し、バイト境界の同期をとることも目的とする領域である。
【００４１】
データ領域１２３は、同期コード、ＥＣＣ（Error Collection Code ）、ＥＤＣ（Error Detection Code）、ユーザデータ等から構成される領域である。
【００４２】
ガードデータ領域１２４は、相変化記録媒体特有の繰り返し記録時の終端劣化がデータ領域にまで及ばないようにするために設けられた領域である。
【００４３】
バッファ領域１２５は、データ領域が次のヘッダ部１1にかからないように、光ディスク６１を回転するモータの回転変動などを吸収するために設けられた領域である。
【００４４】
なお、ギャップ領域１２１が、１７〜１９バイトという表現になっているのは、ランダムシフトを行うからである。ランダムシフトとは相変化記録媒体の繰り返し記録劣化を緩和するため、データの書き始めの位置をずらすことである。ランダムシフトの長さはデータ領域の最後尾に位置するバッファ領域１２５の長さで調整され、１つのセクタ全体の長さは２６９７バイト（一定）である。
【００４５】
次に、光ディスク６１に設けられているトラックにほぼ垂直な方向に対物レンズ７０を調整する方法について説明する。対物レンズ７０の調整は工場で行われる。光ディスク装置に上述した光ディスク（例えば、ＤＶＤ−ＲＡＭ）を装填した後、インターフェース回路９３がホスト装置９４からテスト信号を受信することで、以下の処理が実行される。
【００４６】
図５は、本発明の一実施形態に係わる光ディスク装置の対物レンズ７０の最適位置検出処理の手順を示すフローチャートである。
【００４７】
ＣＰＵ９０は、光ピックアップヘッド６５の現在の位置Ｐ(0)でのヘッダ読み取り率を演算する（ステップＳ１１）。このヘッダ読み取り率の演算方法について説明すると、ＣＰＵ９０は、データ再生回路７８からの再生データからヘッダ領域１００のアドレス領域ＰＩＤ１〜ＰＩＤ４、および誤り検出コードＩＥＤを判別する。そして、ＣＰＵ９０は、アドレス領域ＰＩＤ１〜ＰＩＤ４と、それぞれに対応する誤り検出コードＩＥＤ１〜ＩＥＤ４との読み取り結果を比較することによって、ヘッダ領域の読み取り率を演算する。
【００４８】
次に、ＣＰＵ９０は、トラッキング制御回路８８に光ピックアップヘッド６５をＰ(0)から内周側に、例えば５０μｍ離れた位置Ｐ（-50）に移動させるように命令する（ステップＳ１２）。光ピックアップヘッド６５が移動したら、ＣＰＵ９０は、データ再生回路７８から再生データＲＦを受け取り、光ピックアップヘッド６５の現在の位置Ｐ（-50）でのヘッダ読み取り率を演算する（ステップＳ１３）。
【００４９】
次に、ＣＰＵ９０は、トラッキング制御回路８８に光ピックアップヘッド６５をＰ(0)から内周側に、例えば１００μｍ離れた位置Ｐ（-100）に移動させるように命令する（ステップＳ１４）。光ピックアップヘッド６５が移動したら、ＣＰＵ９０は、データ再生回路７８から再生データＲＦを受け取り、光ピックアップヘッド６５の現在の位置Ｐ(-100)でのヘッダ読み取り率を演算する（ステップＳ１５）。
【００５０】
同様にして、ＣＰＵ９０は、トラッキング制御回路８８に光ピックアップヘッド（ＰＵＨ）６５をＰ(0)から外周側に、例えば５０μｍ離れた位置Ｐ（+50）に移動させるように命令する（ステップＳ１６）。光ピックアップヘッド６５が移動したら、ＣＰＵ９０は、データ再生回路７８から再生データＲＦを受け取り、光ピックアップヘッド６５の現在の位置Ｐ(+50)でのヘッダ読み取り率を演算する（ステップＳ１７）。
【００５１】
更に、ＣＰＵ９０は、トラッキング制御回路８８に光ピックアップヘッド６５をＰ(0)から外周側に、例えば１００μｍの位置Ｐ（+100）に移動させるように命令する（ステップＳ１８）。光ピックアップヘッド６５が移動したら、ＣＰＵ９０は、データ再生回路７８から再生データＲＦを受け取り、光ピックアップヘッド６５の現在の位置Ｐ（+100）でのヘッダ読み取り率を演算する（ステップＳ１９）。
【００５２】
この様にして得られた光ピックアップヘッド６５の位置とヘッダ読み率との関係を基に、ＣＰＵ９０は２次関数（ｙ＝ａｘ2＋ｂｘ＋ｃ、図６参照）の近似式で演算する（ステップＳ２０）。なお、ｙはヘッダ読み取り率の軸、ｘは光ピックアップヘッド６５の位置の軸である。
【００５３】
そしてＣＰＵ９０は、得られた２次関数曲線から極大点を算出し、ヘッダ読み率が最大となる光ピックアップヘッド６５の位置を算出する（ステップＳ２１）。２次関数の一回微分はｙ’＝２ａｘ＋ｂである。従って、ｙ’＝０とすると、ｘは−ｂ／２ａであり、極大点をとる対物レンズ７０の位置は−ｂ／２ａである。
【００５４】
図３で説明した通り、光ディスク６１にはグルーブ用のヘッダ部とランド用のヘッダ部とが交互（千鳥状）に形成されている。従って、対物レンズ７０の位置がランドまたはグルーブの中心の場合に、ヘッダの読み取り率が最も高くなる。従って、対物レンズ７０のヘッダ読み取り率を複数の位置で求め、対物レンズ７０の位置とヘッダ読み取り率とを２次関数で近似することで、近似した２次関数から最もヘッダ読み取り率が高くなる位置を予測することが出来る。
【００５５】
最後にＣＰＵ９０は、算出された位置の情報を不揮発性メモリ（ＮＶＭ）９２に格納する（ステップＳ９２）。
【００５６】
このようにして、対物レンズ７０の最適位置が記憶された状態で光ディスク装置を出荷することができる。そして、出荷後、光ディスク装置がパワーオンしたとき、ＣＰＵ９０は不揮発性メモリ（ＮＶＭ）９２に格納された最適位置の情報に基づいて、オフセット電圧をトラッキング制御回路８８に供給する。これにより、対物レンズ７０の位置が出荷前に設定された位置に位置決めきるようになる。その結果、ＤＶＤ−ＲＡＭ意外にも、ＤＶＤ、ＤＶＤ±Ｒ、ＤＶＤ±ＲＷ等の光ディスクの記録および再生時のヘッド位置を最適な位置に位置決めすることができる。
【００５７】
以上説明したように、ＤＶＤ−ＲＡＭに対して、対物レンズ７０を複数の位置に設定し、それぞれの位置におけるヘッダの読み取り率を測定し、ヘッダの読み取り率が最大と予想される位置を求めることで対物レンズ７０の最適な位置を簡易に求めることが出来る。
【００５８】
なお、対物レンズ７０の調整は工場出荷前に行うとしたが、工場出荷後にユーザがＤＶＤ−ＲＡＭを光ディスク装置に装填した場合に適宜実施するようにしても良い。
【００５９】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６０】
【図１】本発明の一実施形態に係わる光ディスク装置の概略構成を示すブロック図。
【図２】光ディスクのフォーマット例を説明するための図。
【図３】ヘッダ部のプリフォーマットデータを説明するための図。
【図４】光ディスクのセクタフォーマットを示す図。
【図５】本発明の一実施形態に係わる対物レンズの最適位置検出方法の処理の手順を示すフローチャート。
【図６】対物レンズの位置とヘッダ読み取り率との関係を示す図。
【符号の説明】
【００６１】
６１…光ディスク，６３…スピンドルモータ，６５…光ピックアップ，６８…スレッドモータ制御回路，６９…速度検出回路，７０…対物レンズ，７１…駆動コイル，７８…データ再生回路，７９…半導体レーザダイオード，８４…光検出器，８８…トラッキング制御回路，８９…バス，９０…ＣＰＵ，９１…ＲＡＭ，９２…不揮発性メモリ。
【図１】
2008152879.tif 000003
【図２】
2008152879.tif 000004
【図３】
2008152879.tif 000005
【図４】
2008152879.tif 000006
【図５】
2008152879.tif 000007
【図６】
2008152879.tif 000008